(57)【要約】【課題】着用者から排泄された尿等を好適に受け、尿等の横漏れが起こりにくい防漏壁を備えた吸収性物品を提供する。【解決手段】トップシート２と、バックシート３と、これらの間に配された吸収性コア４とを有する吸収性物品１であって、トップシート２の幅方向ｘの両側には、前後方向ｙに中央領域Ｃと端部領域Ｅとこれらの間に位置する中間領域Ｍを有するフラップシート５が設けられ、フラップシート５は、トップシート２に面して設けられた基部と、基部から延在し、基部の幅方向ｘの内方端で折り返されて形成された起立部を有し、基部は、中央領域Ｃと端部領域Ｅが中間領域Ｍよりも幅方向ｘの内方でトップシート２および／またはバックシート３に接合され、起立部は、端部領域Ｅで基部に接合されている。【選択図】図１
2014180345.tif 000002
【特許請求の範囲】
【請求項１】
トップシートと、バックシートと、これらの間に配された吸収性コアとを有し、前後方向と幅方向を有する吸収性物品であって、
前記トップシートの幅方向の両側には、前後方向に中央領域と端部領域とこれらの間に位置する中間領域を有するフラップシートが設けられ、
前記フラップシートは、前記トップシートに面して設けられた基部と、前記基部から延在し、前記基部の幅方向の内方端で折り返されて形成された起立部を有し、
前記基部は、前記中央領域と前記端部領域が前記中間領域よりも幅方向の内方で前記トップシートおよび／またはバックシートに接合され、
前記起立部は、前記端部領域で前記基部に接合されていることを特徴とする吸収性物品。
【請求項２】
前記起立部に前後方向に延びるフラップ用弾性部材が設けられ、前記基部には弾性部材が設けられていない請求項１に記載の吸収性物品。
【請求項３】
前記フラップ用弾性部材は幅方向に並んで複数設けられている請求項２に記載の吸収性物品。
【請求項４】
前記フラップ用弾性部材として、前記起立部の幅方向の外方端から５ｍｍ以内の領域に弾性部材が少なくとも１本設けられるとともに、前記起立部の幅方向の内方端から５ｍｍ以内の領域にも弾性部材が少なくとも１本設けられている請求項３に記載の吸収性物品。
【請求項５】
前記起立部の幅方向の外方側が幅方向の内方側よりも強い収縮力となるように、前記フラップ用弾性部材が前記起立部に設けられている請求項３または４に記載の吸収性物品。
【請求項６】
前記フラップ用弾性部材は、接着剤が塗布されることにより前記起立部に取り付けられ、前記中央領域からその前後の前記中間領域に延在して設けられ、
前記フラップ用弾性部材は前側端部が後側端部よりも接着剤が多く塗布されている請求項２〜５のいずれか一項に記載の吸収性物品。
【請求項７】
前記基部は、前記中央領域と前記端部領域が前記中間領域よりも１０ｍｍ以上幅方向の内方で前記トップシートおよび／またはバックシートに接合されている請求項１〜６のいずれか一項に記載の吸収性物品。
【請求項８】
前記中央領域では、前記基部が、前記基部の幅方向の内方端から１０ｍｍ以内の領域で前記トップシートに接合されている請求項１〜７のいずれか一項に記載の吸収性物品。
【発明の詳細な説明】
【技術分野】
【０００１】
本発明は、使い捨ておむつ、尿パッド（失禁パッドを含む）、生理用ナプキン等の吸収性物品に関するものである。
【背景技術】
【０００２】
吸収性物品は、着用者からの尿等の横漏れを防ぐために、肌側面の幅方向の両側に防漏壁（防漏カフ）が設けられていることが多い。従来、防漏壁を備えた様々な吸収性物品が提案されており、例えば特許文献１には、幅方向の内方側の折り目で２つ折りされた防漏壁を備えた吸収性物品が開示され、特許文献２には、防漏壁の前後方向の中央部の高さが低くなるように、防漏壁の中央部を蛇腹状に折り畳んで接合固定させた吸収性物品が開示されている。
【先行技術文献】
【特許文献】
【０００３】
【特許文献１】特開平１１−２８５５１０号公報
【特許文献２】特開２０００−３５４６０７号公報
【発明の概要】
【発明が解決しようとする課題】
【０００４】
上記のように、従来様々な形状の防漏壁が提案されているが、吸収性物品に備えられる防漏壁の基本的特性として、着用者から排泄された尿等を幅方向の両側に設けられた防漏壁の間に好適に導き、かつ吸収性物品が受けた尿等を横漏れさせないようにすることが求められる。本発明は前記事情に鑑みてなされたものであり、その目的は、着用者から排泄された尿等を好適に受け、尿等の横漏れが起こりにくい防漏壁を備えた吸収性物品を提供することにある。
【課題を解決するための手段】
【０００５】
前記課題を解決することができた本発明の吸収性物品とは、トップシートと、バックシートと、これらの間に配された吸収性コアとを有し、前後方向と幅方向を有する吸収性物品であって；トップシートの幅方向の両側には、前後方向に中央領域と端部領域とこれらの間に位置する中間領域を有するフラップシートが設けられ；フラップシートは、トップシートに面して設けられた基部と、基部から延在し、基部の幅方向の内方端で折り返されて形成された起立部を有し；基部は、中央領域と端部領域が中間領域よりも幅方向の内方でトップシートおよび／またはバックシートに接合され；起立部は、端部領域で基部に接合されているところに特徴を有する。
【０００６】
本発明の吸収性物品は、上記のように形成されたフラップシートが設けられているため、起立部が幅方向の外方に向かって起立しやすくなり、着用者から排泄された尿等を好適に受けやすくなる。また、着用者が座った状態でも、フラップシートが中央領域で安定して幅方向の外方に向かって起立しやすくなる。一方、フラップシートの中間領域は、着用者が座った場合でも圧迫を受けにくいため、フラップシートにより形成される防漏壁の高さが高く形成され、尿等の横漏れが防止されやすくなる。
【０００７】
起立部には前後方向に延びるフラップ用弾性部材が設けられ、基部には弾性部材が設けられていないことが好ましい。このようにフラップ用弾性部材が設けられれば、起立部が立ち上がることにより、幅方向の外方に向かって起立した防漏壁が好適に形成されやすくなる。
【０００８】
起立部には、フラップ用弾性部材が幅方向に並んで複数設けられていることが好ましい。このようにフラップ用弾性部材が設けられれば、起立部が面状に立ち上がりやすくなり、着用者の臀部を包み込むように肌に当接しやすくなる。
【０００９】
フラップ用弾性部材としては、起立部の幅方向の外方端から５ｍｍ以内の領域に弾性部材が少なくとも１本設けられるとともに、起立部の幅方向の内方端から５ｍｍ以内の領域にも弾性部材が少なくとも１本設けられていることが好ましい。このようにフラップ用弾性部材が設けられれば、起立部が幅方向全体で面状に立ち上がりやすくなる。
【００１０】
フラップ用弾性部材は、起立部の幅方向の外方側が幅方向の内方側よりも強い収縮力となるように、起立部に設けられることが好ましい。このようにフラップ用弾性部材が設けられれば、起立部の外方端がより高く立ち上がるようにしつつ、着用者の臀部を包み込むように起立部を面状に立ち上げやすくなる。
【００１１】
フラップ用弾性部材は、接着剤が塗布されることにより起立部に取り付けられ、中央領域からその前後の中間領域に延在して設けられ、フラップ用弾性部材は、前側端部が後側端部よりも接着剤が多く塗布されていることが好ましい。このようにフラップ用弾性部材が設けられれば、起立部の後側の中間領域が前側の中間領域よりも収縮力が弱まって形成されやすくなる。そのため、起立部が着用者の臀部で肌に強く当たりにくくなり、着用感が向上する。一方、前側の中間領域では収縮力が強くなるように形成されているため、着用者のそけい部において起立部が着用者の肌に密着しやすくなり、そけい部からの横漏れが防止されやすくなる。
【００１２】
基部は、中央領域と端部領域が中間領域よりも１０ｍｍ以上幅方向の内方でトップシートおよび／またはバックシートに接合されていることが好ましい。このように基部がトップシートおよび／またはバックシートに接合していれば、中間領域で尿等がより広い範囲で吸収性物品に吸収され、また中間領域でより高い防漏壁を形成することができる。
【００１３】
中央領域では、基部が、基部の幅方向の内方端から１０ｍｍ以内の領域でトップシートに接合されていることが好ましい。このように基部が中央領域でトップシートに接合されていれば、起立部が起立した際に、幅方向の外方に向かって立ち上がる防漏壁を形成しやすくなる。
【発明の効果】
【００１４】
本発明の吸収性物品によれば、着用者の股間で幅方向の外方に向かって立ち上がる防漏壁が形成され、着用者から排泄された尿等を好適に受けることができる。また、着用者が座った状態で圧迫を受けにくい中間領域では、防漏壁の高さが高く形成され、尿等の横漏れが好適に防止される。
【図面の簡単な説明】
【００１５】
【図１】吸収性物品として、オープンタイプの使い捨ておむつを肌側面から見た平面図を表す。
【図２】図１に示した吸収性物品のＩＩ−ＩＩ断面図を表す。
【図３】図１に示した吸収性物品のＩＩＩ−ＩＩＩ断面図を表す。
【図４】図１に示した吸収性物品のＩＶ−ＩＶ断面図を表す。
【図５】吸収性物品として、パンツタイプの使い捨ておむつの斜視図を表す。
【図６】図５に示した吸収性物品（パンツタイプの使い捨ておむつ）の前腹部と後背部との接合を解いて平面に展開した状態を肌側面から見た図を表す。
【図７】図６に示した吸収性物品のＶＩＩ−ＶＩＩ断面図を表す。
【図８】図６に示した吸収性物品のＶＩＩＩ−ＶＩＩＩ断面図を表す。
【図９】図６に示した吸収性物品のＩＸ−ＩＸ断面図を表す。
【発明を実施するための形態】
【００１６】
本発明の吸収性物品は、トップシートとバックシートとこれらの間に配された吸収性コアとを有し、幅方向と前後方向を有する。本発明の吸収性物品の態様としては、使い捨ておむつや尿パッド（失禁パッドを含む）、生理用品等が示される。
【００１７】
本発明において、吸収性物品の前後方向とは、吸収性物品を着用者が着用した際、着用者の股間の前後方向に延びる方向を意味する。吸収性物品の幅方向とは、吸収性物品と同一面上にあり、前後方向と直交する方向を意味する。また、本発明において、吸収性物品の肌側面とは、吸収性物品を着用した際に着用者の肌に向く側の面を意味し、吸収性物品の外側面とは、吸収性物品を着用した際に着用者とは反対側を向く面を意味する。
【００１８】
吸収性物品の形状は特に限定されない。吸収性物品が尿パッドである場合、吸収性物品の形状としては、略長方形、砂時計型、ひょうたん型等が示される。
【００１９】
吸収性物品が使い捨ておむつである場合、吸収性物品は、例えば、前腹部と後背部とこれらの間に位置し吸収性コアが備えられた股部とから構成される。使い捨ておむつとしては、例えば、前腹部と後背部とこれらの間に位置する股部とからなる外装部材の肌側面に、トップシートとバックシートの間に吸収性コアが配された吸収性本体が設けられてもよい。このとき、吸収性本体の形状としては略長方形等が示される。使い捨ておむつとしてはまた、トップシートとバックシートの間に吸収性コアが配された積層体が、前腹部と後背部とこれらの間に位置する股部とを形成してもよい。なお、前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００２０】
吸収性物品が使い捨ておむつである場合、使い捨ておむつは、後背部の左右側端に一対の止着部材が設けられ、当該止着部材により着用時にパンツ形状に形成するオープンタイプ（テープタイプ）の使い捨ておむつであったり、ウェスト開口部と一対の脚開口部とが形成されたパンツタイプの使い捨ておむつであってもよい。
【００２１】
トップシートは、吸収性物品の着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００２２】
バックシートは、吸収性物品の着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００２３】
外装部材は、液透過性であっても液不透過性であってもよく、トップシートやバックシートに使用可能なシート材料を用いることができる。外装部材は、内側シートに外側シートが積層されて形成されることが好ましく、親水性の内側シートに液不透過性の外側シートが積層されて形成されることがより好ましい。
【００２４】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２５】
吸収性コアは、尿等の排泄物を吸収できる吸収性材料を含むものであれば特に限定されない。吸収性コアとしては、例えば、吸収性材料を所定形状に成形した成形体を用いることができる。吸収性コアは、紙シート（例えば、ティッシュペーパーや薄葉紙）や液透過性不織布等のシート部材で覆われてもよい。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００２６】
吸収性材料は、尿等の吸収速度を高める点から、親水性繊維を含むことが好ましい。また、吸収容量を高める点からは、吸収性材料は吸水性樹脂を含むことが好ましい。従って、吸収性コアは親水性繊維（特にパルプ繊維）と吸水性樹脂を含むことが好ましい。この場合、例えば、親水性繊維の集合体に吸水性樹脂を混合または散布したものを用いることが好ましい。
【００２７】
吸収性コアは、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００２８】
シート状吸収体としては、吸収性材料として吸水性繊維を用いてもよい。この場合もまた、シート状吸収体が嵩張らず薄型に形成される。吸水性繊維としては、プロトン化または塩形成したカルボキシル基を含有する繊維が挙げられる。例えば、特公昭５２−４２９１６号公報に開示されるように、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００２９】
吸収性コアの形状（平面形状）は特に限定されない。吸収性コアの形状は、用途に応じて適宜決定すればよく、例えば、略長方形、砂時計型、ひょうたん型、羽子板型等が挙げられる。
【００３０】
本発明の吸収性物品は、トップシートの幅方向の両側にフラップシートが設けられている。フラップシートによって、着用者から排泄された尿等の横漏れを防止するための防漏壁が形成される。フラップシートは液不透過性であることが好ましく、バックシートに使用可能なシート材料を用いることができる。
【００３１】
フラップシートは、幅方向断面でＬ字状または横に倒れたＶ字状に折り返されて形成されている。すなわちフラップシートは、幅方向の内方側の折り目で幅方向に２つ折りされて形成されている。このように形成されたフラップシートは、トップシートに面して設けられた基部と、基部から延在し、基部の幅方向の内方端で折り返されて形成された起立部を有する。フラップシートは基本的に基部がトップシートに接合される。ただし、バックシートがトップシートよりも幅方向の外方に延在して設けられるような場合や、バックシートが吸収性コアの幅方向の端縁に沿ってトップシートの上面に折り返される場合などは、基部がバックシートに接合されてもよい。一方、フラップシートの起立部は、尿等の横漏れを防止する防漏壁を形成する。なお、基部は一部のみがトップシートおよび／またはバックシートに接合し、基部の他部は起立部と協働して防漏壁を形成する。起立部の幅方向の外方端は自由端を形成し、吸収性物品を着用した際に防漏壁の上端を形成する。
【００３２】
フラップシートは、前後方向に中央領域と端部領域とこれらの間に位置する中間領域を有する。端部領域はフラップシートの前後方向の端部を含む領域であり、前側端部領域と後側端部領域とから構成される。中間領域は中央領域と端部領域の間に位置する領域であり、中央領域と前側端部領域の間に形成される前側中間領域と、中央領域と後側端部領域の間に形成される後側中間領域とから構成される。すなわちフラップシートは、前後方向の前側から順に、前側端部領域、前側中間領域、中央領域、後側中間領域、後側端部領域を有することとなる。
【００３３】
中央領域と端部領域と中間領域の長さ（前後方向に対する長さ）は特に限定されない。例えば、フラップシートの前後方向に対する相対位置として前側端を０％とし後側端を１００％としたとき、前側端部領域は０％〜１５％の領域にあり、中央領域は２５％〜６５％の領域にあり、後側端部領域は８５％〜１００％の領域にあればよい。なお、前記説明した相対位置は、吸収性物品に弾性部材が設けられる場合は、弾性部材を完全に伸張させた状態（すなわち、弾性部材を除去した状態あるいは弾性部材を細かく切断して弾性部材の収縮力が発現しない状態）で測定する。後述する様々な長さの好適範囲に関しても、同様の条件で測定した値を用いる。
【００３４】
フラップシートの基部は、中央領域と端部領域が中間領域よりも幅方向の内方でトップシートおよび／またはバックシートに接合されている。そしてフラップシートの起立部は、端部領域で基部に接合されている。フラップシートはこのように形成される結果、中央領域と中間領域が起立可能に形成される。本発明の吸収性物品では、フラップシートの中央領域と中間領域が起立して防漏壁を形成し、その際、起立部が幅方向の外方に広がって起立しやすくなり、吸収性物品が着用者から排泄された尿等を好適に受けやすくなる。つまりフラップシートは、基部が中央領域で幅方向の内方までトップシートおよび／またはバックシートに接合され、起立部の自由端が幅方向の外方に位置するように折り畳まれているため、基部がトップシートおよび／バックシートに接合される接合部の内方端を基点に、起立部が幅方向の外方に向かって起立しやすくなり、その結果、起立部が幅方向断面で椀状に形成され、着用者から排泄された尿等を好適に受けやすくなる。また、起立部が幅方向の外方に向かって起立する結果、起立部の自由端（すなわち防漏壁の上端）が着用者の肌に強く当たりにくくなって、着用者の臀部を包み込むように肌に当接しやすくなり、着用感が向上する。一方、中間領域では、基部がトップシートとバックシートに接合しない部分が、中央領域において基部がトップシートおよび／またはバックシートへ接合する接合部の内方端よりも幅方向の外方に延在しているため、中間領域では、尿等が幅方向により広い範囲に拡散して吸収性コアに吸収されやすくなり、尿等の速やかな吸収が実現される。
【００３５】
さらに基部は、中央領域が中間領域よりも幅方向の内方でトップシートおよび／またはバックシートに接合される結果、フラップシートにより形成される防漏壁が安定して外方に向かって起立しやすくなる。これについて詳しく説明すると、フラップシートの中央領域は着用者が座ったりする場合に押し潰されやすく、フラップシートにより形成される防漏壁の高さが高すぎると、防漏壁が安定して外方に向かって起立しにくくなる。しかし本発明の吸収性物品では、中央領域が中間領域よりも幅方向の内方でトップシートおよび／またはバックシートに接合される結果、フラップシートにより形成される防漏壁が中央領域において中間領域よりも高さが低く形成され、防漏壁が安定して外方に向かって起立しやすくなる。一方、フラップシートの中間領域は、着用者が座った場合に圧迫を受けにくいため、防漏壁の高さが中央領域よりも高く形成され、尿等の横漏れが防止されやすくなる。
【００３６】
基部がトップシートおよび／またはバックシートに接合される接合部は、連続的に形成されていてもよく、断続的に形成されていてもよい。例えば、接合部は前後方向に延び、幅方向に断続的な形状で設けられてもよい。本発明においては、中央領域における接合部の内方端（幅方向に対する）と端部領域における接合部の内方端が、中間領域における接合部の内方端よりも幅方向の内方に位置していればよい。
【００３７】
フラップシートの基部はある程度の幅を有するように形成されることが好ましく、例えば、幅方向の長さが１５ｍｍ以上であることが好ましく、２０ｍｍ以上がより好ましい。フラップシートの起立部もある程度の幅を有することが好ましく、例えば、幅方向の長さが１０ｍｍ以上であることが好ましく、１５ｍｍ以上がより好ましい。一方、フラップシートの起立部は幅広すぎても好適に起立しにくくなるおそれがあることから、幅方向の長さが５０ｍｍ以下であることが好ましく、４０ｍｍ以下がより好ましい。
【００３８】
基部は、中央領域ではトップシートに接合されることが好ましい。このように吸収性物品が構成されていれば、トップシートが幅広に形成され、吸収性物品の尿等の吸収能力が高められる。基部はまた、尿等の前後方向の漏れ防止の点から、端部領域でもトップシートに接合されることが好ましい。一方中間領域では、基部はトップシートに接合されていてもバックシートに接合されていてもよいが、製造容易性の点から、基部は中間領域でもトップシートに接合されることが好ましい。
【００３９】
基部は、中央領域で、できるだけ幅方向の内方部分でトップシートに接合されることが好ましい。従って、中央領域では基部は、基部の幅方向の内方端から１０ｍｍ以内（より好ましくは８ｍｍ以内であり、さらに好ましくは５ｍｍ以内）の領域でトップシートに接合されていることが好ましい。このように基部が中央領域でトップシートに接合されていれば、起立部が起立した際に、幅方向の外方に向かって立ち上がる防漏壁を形成しやすくなる。なお基部は、端部領域でもできるだけ幅方向の内方部分でトップシートに接合されることが好ましく、従って、基部は端部領域において、基部の幅方向の内方端から１０ｍｍ以内（より好ましくは８ｍｍ以内であり、さらに好ましくは５ｍｍ以内）の領域でトップシートに接合されていることが好ましい。
【００４０】
中間領域では、基部がトップシートとバックシートに接合しない部分がある程度の幅で形成されることが好ましい。従って、基部は、中央領域と端部領域が中間領域よりも１０ｍｍ以上（より好ましくは１５ｍｍ以上であり、さらに好ましくは２０ｍｍ以上）幅方向の内方でトップシートおよび／またはバックシートに接合されることが好ましい。このように中間領域で基部がトップシートとバックシートに接合しない部分が形成されることにより、中間領域で尿等がより広い範囲で吸収性物品に吸収され、また中間領域でより高い防漏壁を形成することができる。なお、中間領域で基部がトップシートとバックシートに接合しない部分が過剰に設定されても吸収性物品の着用感や取り扱い性が低下するおそれがあることから、基部がトップシートおよび／またはバックシートに接合する接合部については、中央領域と端部領域における接合部の内方端が中間領域における接合部の内方端よりも幅方向の内方８０ｍｍ以内にあるようにすることが好ましい。
【００４１】
フラップシートは１層から構成されていてもよく、複数層から構成されていてもよい。また、フラップシートの基部のトップシートおよび／またはバックシートへの接合やフラップシートの起立部の基部への接合は、接着剤、ヒートシール、超音波融着等の公知の接合手段により行えばよい。
【００４２】
フラップシートにはフラップ用弾性部材が設けられていることが好ましい。フラップシートにフラップ用弾性部材が設けられていれば、弾性部材の伸縮力によってフラップシートが立ち上がりやすくなり、好適に防漏壁が形成されるようになる。フラップ用弾性部材は、フラップシートの一方面または両面に設けられてもよく、フラップシートを構成する複数の層間に設けられてもよい。
【００４３】
フラップ用弾性部材は、前後方向に延びるように起立部に設けられることが好ましい。この際、フラップ用弾性部材は前後方向に伸張状態で起立部に固定されることが好ましい。このようにフラップ用弾性部材が設けられることにより、起立部が立ち上がって、幅方向の外方に向かって起立する防漏壁が好適に形成されやすくなる。一方、基部には弾性部材が設けられないことが好ましい。起立部が幅方向の外方に向かって起立するようにするためには、起立部が立ち上がった際に起立部の下端（すなわち起立部の内方端）ができるだけ幅方向の内方にあることが好ましいところ、基部に弾性部材が設けられると、基部が立ち上がることにより基部の上端（すなわち起立部の内方端）が幅方向の外方に移動し、その結果、起立部が幅方向の外方に向かって立ち上がりにくくなる。
【００４４】
起立部には、フラップ用弾性部材が幅方向に並んで複数設けられることが好ましい。フラップ用弾性部材がこのように起立部に設けられれば、起立部が面状に立ち上がりやすくなり、着用者の臀部を包み込むように肌に当接しやすくなる。好ましくは、フラップ用弾性部材は、起立部に幅方向に並んで３本以上設けられる。
【００４５】
起立部にフラップ用弾性部材が複数設けられる場合、フラップ用弾性部材として、起立部の幅方向の外方端から５ｍｍ以内（より好ましくは２ｍｍ以内であり、さらに好ましくは１ｍｍ以内）の領域に弾性部材が少なくとも１本設けられるとともに、起立部の幅方向の内方端から５ｍｍ以内（より好ましくは２ｍｍ以内であり、さらに好ましくは１ｍｍ以内）の領域にも弾性部材が少なくとも１本設けられることが好ましい。このようにフラップ用弾性部材が設けられれば、起立部が幅方向全体で面状に立ち上がりやすくなる。より好ましくは、フラップ用弾性部材として、起立部の幅方向の内方端および外方端から５ｍｍ超離れた領域にも、さらに別の弾性部材が少なくとも１本設けられる。
【００４６】
起立部にフラップ用弾性部材が複数設けられる場合、フラップ用弾性部材は、起立部の幅方向の外方側が幅方向の内方側よりも強い収縮力となるように起立部に設けられることが好ましい。このようにフラップ用弾性部材が設けられれば、起立部の外方端がより高く立ち上がるようにしつつ、着用者の臀部を包み込むように起立部を面状に立ち上げやすくなる。
【００４７】
起立部の幅方向の外方側が幅方向の内方側よりも強い収縮力となるようにフラップ用弾性部材を設けるためには、例えば、起立部の幅方向の外方側に設ける弾性部材（外方弾性部材）が、幅方向の内方側に設ける弾性部材（内方弾性部材）よりも強い収縮力となるように各弾性部材をフラップシートに固定すればよい。具体的には、外方弾性部材を内方弾性部材よりも高い伸張倍率でフラップシートに固定したり、外方弾性部材として内方弾性部材よりも高い引張弾性率を有する弾性部材を用いればよい。また、フラップ用弾性部材を３本以上配する場合は、起立部の幅方向の外方ほど弾性部材間の間隔が狭くなるように弾性部材を配してもよい。
【００４８】
フラップ用弾性部材は、中央領域から前側中間領域および後側中間領域に延在して設けられることが好ましく、その結果、フラップ用弾性部材によって好適に防漏壁が形成されやすくなる。なお、フラップ用弾性部材は、端部領域には設けられないことが好ましい。
【００４９】
フラップ用弾性部材は、フラップ用弾性部材に接着剤が塗布されることにより、起立部に取り付けられることが好ましい。このようにフラップ用弾性部材が起立部に取り付けられれば、起立部のフラップ用弾性部材が設けられない部分は接着剤が塗布されずにすみ、起立部が柔軟に形成されて肌触りが向上する。つまりこの場合、起立部には、フラップ用弾性部材間に接着剤が塗布されない部分が形成されることとなり、接着剤が塗布されない部分で起立部の肌触りが向上する。フラップ用弾性部材は、例えば次のようにフラップシートに取り付けられることが好ましい。すなわち、フラップシートが複数層から構成され、フラップシートを構成する複数の層間に接着剤が塗布されたフラップ用弾性部材が配されることにより、フラップ用弾性部材がフラップシートに取り付けられることが好ましい。
【００５０】
フラップ用弾性部材は接着剤が塗布されることにより起立部に取り付けられ、中央領域からその前後の中間領域に延在して設けられ、フラップ用弾性部材は前側端部が後側端部よりも接着剤が多く塗布されていることが好ましい。このようにフラップ用弾性部材が設けられれば、フラップ用弾性部材を伸張させながらフラップシートに取り付ける際に、フラップ用弾性部材の後側端部が前側端部よりも伸張状態が緩まり、起立部の後側中間領域が前側中間領域よりも収縮力が弱まって形成されやすくなる。このとき、後側中間領域は着用者の臀部に当たる部分であるため、起立部が着用者の臀部で肌に強く当たりにくくなり、着用感が向上する。一方、前側中間領域は着用者のそけい部付近に当たる部分となるが、一般に人体は股間部からそけい部にかけて比較的鋭角に形成されているため、吸収性物品を着用した際に、起立部と着用者の肌との間に隙間ができやすくなる。しかし起立部の前側中間領域が収縮力が強くなるように形成されていれば、起立部が着用者の肌に密着しやすくなって、そけい部からの横漏れが防止されやすくなる。
【００５１】
フラップ用弾性部材としては、ポリウレタン糸、ポリウレタンフィルム、天然ゴム等の通常吸収性物品に用いられる弾性伸縮材料を用いることができる。フラップ用弾性部材は、伸張状態で、ホットメルト接着剤等の接着剤で固定されることが好ましい。例えば、繊度１００〜２，５００ｄｔｅｘのポリウレタン糸を、倍率１．１〜５．０倍に伸張して配設し、固定する。接着剤としては、ゴム系のホットメルト接着剤を用いることが好ましい。
【００５２】
次に、本発明の吸収性物品の構成例について、図面を参照して説明する。なお、本発明は、図面に示された実施態様に限定されるものではない。
【００５３】
図１〜図４には、本発明の吸収性物品として、オープンタイプ（テープタイプ）の使い捨ておむつに適用した例を示す。図１は、オープンタイプの使い捨ておむつを肌側面から見た平面図を表し、図２、図３、図４はそれぞれ、図１に示した使い捨ておむつのＩＩ−ＩＩ断面図、ＩＩＩ−ＩＩＩ断面図、ＩＶ−ＩＶ断面図を表す。なお図面では、矢印ｘが幅方向、矢印ｙが前後方向を表し、矢印ｘ，ｙにより形成される面に対して垂直方向が厚み方向ｚを表す。
【００５４】
吸収性物品（オープンタイプの使い捨ておむつ）１は、トップシート２とバックシート３とこれらの間に配された吸収性コア４とを有する。トップシート２は吸収性物品１の肌側面に設けられ、着用者から排泄された尿等を透過する。トップシート２を透過した排泄物は、吸収性コア４により収容される。バックシート３は吸収性物品１の外側面に設けられ、排泄物が外部へ漏れるのを防いでいる。吸収性物品１では、吸収性コア４は砂時計型形状に形成されている。
【００５５】
トップシート２の幅方向ｘの両側にはフラップシート５が設けられている。フラップシート５は、前後方向ｙに、中央領域Ｃと端部領域Ｅとこれらの間に位置する中間領域Ｍを有する（図１）。端部領域Ｅとしては、吸収性物品１の前側と後側にそれぞれ、前側端部領域Ｅ１と後側端部領域Ｅ２が形成され、中間領域Ｍとしては、吸収性物品１の前側と後側にそれぞれ、前側中間領域Ｍ１と後側中間領域Ｍ２が形成されている。
【００５６】
フラップシート５は、図２〜図４に示されるように、トップシート２に面して設けられた基部６と、基部６から延在し、基部６の幅方向ｘの内方端８で折り返されて形成された起立部７を有する。起立部７の外方端９は自由端を形成する。
【００５７】
図２には吸収性物品１の中央領域Ｃにおける断面図を示し、図３には吸収性物品１の中間領域Ｍにおける断面図を示し、図４には吸収性物品１の端部領域Ｅにおける断面図を示したが、吸収性物品１は、基部６が、中央領域Ｃと端部領域Ｅが中間領域Ｍよりも幅方向ｘの内方でトップシート２に接合され、起立部７は、端部領域Ｅで基部６に接合されている。図１では、フラップシート５がトップシート２またはバックシート３に接合している箇所（すなわち接合部の形成領域）をクロスハッチングで表している。図２〜図４では、基部６がトップシート２またはバックシート３に接合している箇所と、起立部７が基部６に接合している箇所を×印で表している。吸収性物品１は、このようにフラップシート５が形成される結果、起立部７が幅方向ｘの外方に向かって起立しやすくなり、着用者から排泄された尿等を好適に受けやすくなる。また、着用者が座った状態でも、フラップシート５が中央領域Ｃで安定して幅方向ｘの外方に向かって起立しやすくなる。一方、フラップシート５の中間領域Ｍは、着用者が座った場合でも圧迫を受けにくいため、フラップシート５により形成される防漏壁の高さが高く形成され、尿等の横漏れが防止されやすくなる。
【００５８】
なお、図２〜図４では、中央領域Ｃ、中間領域Ｍ、端部領域Ｅで基部６の接合部の内方端（幅方向ｘの内方端）がトップシート２に接合されているが、バックシート３がトップシート２よりも幅方向ｘの外方に延在している場合やバックシート３が吸収性コア４の幅方向ｘの端縁に沿ってトップシート２の上面に折り返されている場合などは、中間領域Ｍで基部６の接合部の内方端がバックシート３に接合していてもよく、さらに中央領域Ｃと端部領域Ｅでも基部６の接合部の内方端がバックシート３に接合していてもよい。
【００５９】
起立部７には、前後方向ｙに延びるフラップ用弾性部材１０が幅方向ｘに並んで複数設けられている。一方、基部６には弾性部材が設けられていない。フラップ用弾性部材１０が起立部７に設けられることにより、起立部７が幅方向ｘの外方に向かって面状に立ち上がりやすくなり、着用者の臀部を包み込むように肌に当接しやすくなる。また、フラップ用弾性部材１０は、図１に示すように、中央領域Ｃから前側中間領域Ｍ１と後側中間領域Ｍ２に延在して設けられることが好ましい。
【００６０】
吸収性物品１の後背部（前後方向ｙの後側部）には、左右側端部に止着部材１１が取り付けられ、前腹部（前後方向ｙの前側部）のバックシート２上には、着用時に止着部材１１を留めるための止着対応部１２が設けられている。例えば、止着部材１１にはフック・ループ・ファスナーのフック部材が設けられ、止着対応部１２はフック・ループ・ファスナーのループ部材から構成されている。吸収性物品１は、着用者の股間に当てて止着部材１１を止着対応部１２に留めることで、装着することができる。
【００６１】
吸収性物品１の前後方向ｙの端部には、ウェスト用弾性部材１３が設けられている。ウェスト用弾性部材１３は、例えば、トップシート２またはフラップシート５とバックシート３との間に配される。ウェスト用弾性部材１３により着用者の腰周りに沿ったウェストギャザーが形成され、背中側や腹部側からの尿等の排泄物の漏れが防止される。
【００６２】
吸収性物品１の幅方向ｘの両側には、吸収性コア４の幅方向ｘの外方に、脚用弾性部材１４が設けられている。脚用弾性部材１４は、例えば、フラップシート５とバックシート３との間に配される。脚用弾性部材１４により着用者の脚周りに沿ったレッグギャザーが形成され、股部からの尿等の排泄物の漏れが防止される。なお、図２および図３では、脚用弾性部材１４が省略されている。
【００６３】
次に、本発明の吸収性物品の他の構成例について説明する。図５〜図９には、本発明の吸収性物品として、パンツタイプの使い捨ておむつに適用した例を示す。図５は、パンツタイプの使い捨ておむつの斜視図を表し、図６は、図５に示した使い捨ておむつの前腹部と後背部との接合を解いて平面に展開した状態を肌側面から見た図を表し、図７、図８、図９はそれぞれ、図６に示した使い捨ておむつのＶＩＩ−ＶＩＩ断面図、ＶＩＩＩ−ＶＩＩＩ断面図、ＩＸ−ＩＸ断面図を表す。なお下記の説明において、上記の説明と重複する部分の説明を省略する。
【００６４】
吸収性物品（パンツタイプの使い捨ておむつ）２１は、ウェスト開口部２３と一対の脚開口部２４を有しパンツ形状に形成された外装部材２２と、外装部材２２の肌側面に設けられた吸収性本体２７を有する。外装部材２２は、前腹部Ｐと後背部Ｑとこれらの間に位置する股部Ｒとから構成され、前腹部Ｐと後背部Ｑとが接合されることによりパンツ形状に形成されている。外装部材２２は、外側シート２５と、外側シート２５の肌面側に積層された内側シート２６とを有する。
【００６５】
吸収性本体２７は、外装部材２２の少なくとも股部Ｒの肌面側に備えられ、トップシート２８とバックシート２９とこれらの間に配された吸収性コア３０とを有する（図７〜図９）。吸収性物品２１では、吸収性本体２７と吸収性コア３０は略長方形状に形成されている。また、バックシート２９が吸収性コア３０の幅方向ｘの端縁で折り返されて、トップシート２８の上面に重ねられて接合されている。
【００６６】
吸収性本体２７には、トップシート２８の幅方向ｘの両側にフラップシート３１が設けられている。図７には吸収性物品２１の中央領域Ｃにおける断面図を示し、図８には吸収性物品２１の中間領域Ｍにおける断面図を示し、図９には吸収性物品２１の端部領域Ｅにおける断面図を示したが、フラップシート３１は、トップシート２８に面して設けられた基部３２と、基部３２から延在し、基部３２の幅方向ｘの内方端で折り返されて形成された起立部３３を有する。また、起立部３３にフラップ用弾性部材３４が設けられている。
【００６７】
吸収性物品２１では、中央領域Ｃと端部領域Ｅで基部３２の接合部の内方端（幅方向ｘの内方端）がトップシート２８に接合しているが、中間領域Ｍでは基部３２の接合部の内方端がバックシート２９に接合している。従って吸収性物品２１は、基部３２が、中央領域Ｃと端部領域Ｅが中間領域Ｍよりも幅方向ｘの内方でトップシート２８および／またはバックシート２９に接合され、起立部３３は、端部領域Ｅで基部３２に接合されている。図６では、フラップシート３１がトップシート２８またはバックシート２９に接合している箇所（すなわち接合部の形成領域）をクロスハッチングで表している。図７〜図９では、基部３２がトップシート２８またはバックシート２９に接合している箇所と、起立部３３が基部３２に接合している箇所を×印で表している。吸収性物品２１でも、フラップシート３１やフラップ用弾性部材３４に関し、図１〜図４に示した吸収性物品と同様の効果が得られる。
【００６８】
外装部材２２の前後方向ｙの端部には、ウェスト開口部２３の縁に沿って、複数のウェスト用弾性部材３５が設けられている。ウェスト用弾性部材３５により着用者の腰周りに沿ったウェストギャザーが形成され、背中側や腹部側からの尿等の排泄物の漏れが防止される。
【００６９】
外装部材２２の前腹部Ｐと後背部Ｑには、幅方向ｘに延びる複数の胴周り用弾性部材３６が設けられている。胴周り用弾性部材３６は、ウェスト用弾性部材３５と脚開口部２４の間に、ウェスト用弾性部材３５よりも広い間隔で配されている。胴周り用弾性部材３６により、着用者の胴回りのフィット性が高められる。
【００７０】
外装部材２２の脚開口部２４の縁に沿って、脚用弾性部材３７，３８が設けられている。脚用弾性部材は、脚開口部２４の前側の縁に沿って設けられる前側脚用弾性部材３７と、脚開口部２４の後側の縁に沿って設けられる後側脚用弾性部材３８とからなる。前側脚用弾性部材３７と後側脚用弾性部材３８とにより、脚開口部２４の縁のほぼ全周にわたり脚用弾性部材が設けられる。脚用弾性部材３７，３８により、着用者の脚周りに沿ったレッグギャザーが形成され、股部からの尿等の排泄物の漏れが防止される。
【００７１】
ウェスト用弾性部材３５、胴周り用弾性部材３６、脚用弾性部材３７，３８は、例えば外側シート２５と内側シート２６の間に設けられ、外側シート２５および／または内側シート２６に伸張状態で接着される。ウェスト用弾性部材３５は、外側シート２５が、外装部材２２のウェスト開口部２４の縁で、内側シート２６側に折り返され、折り返された外側シート２５間に挟まれて外側シート２５と接着されてもよい。
【符号の説明】
【００７２】
１，２１：  吸収性物品
２，２８：  トップシート
３，２９：  バックシート
４，３０：  吸収性コア
５，３１：  フラップシート
６，３２：  基部
７，３３：  起立部
１０，３４：  フラップ用弾性部材
２２：  外装部材
２７：  吸収性本体
Ｃ：  中央領域
Ｍ，Ｍ１，Ｍ２：  中間領域
Ｅ，Ｅ１，Ｅ２；  端部領域
【図１】
2014180345.tif 000003
【図２】
2014180345.tif 000004
【図３】
2014180345.tif 000005
【図４】
2014180345.tif 000006
【図５】
2014180345.tif 000007
【図６】
2014180345.tif 000008
【図７】
2014180345.tif 000009
【図８】
2014180345.tif 000010
【図９】
2014180345.tif 000011